(57)【要約】【課題】電気ストーブにおいて、発熱体から、より遠方の加熱対象まで所定量の熱を到達させることを可能にする。【解決手段】電気ストーブ１は、発熱体１１と、反射板１２と、発熱体１１の前方を覆うように設置されたガード部Ｇと、を備えている。ガード部Ｇは、当該ガード部Ｇにおける一部の領域を占めるとともに発熱体１１から放射される熱の通過を遮断するガード構成部材１３の遮断面積の密度が当該領域を囲む周囲近傍の領域における遮断面積の密度よりも小さくなるように形成された遮断抑制部Ａを有する。そして、遮断抑制部Ａは、ガード部Ｇにおける発熱体１１の前方に対向するように発熱体１１に沿って形成されている。【選択図】図３
2008111565.tif 000002
【特許請求の範囲】
【請求項１】
発熱体（１１）と、前記発熱体の後方に設置され当該発熱体から放射される熱を前方に反射する反射板（１２）と、線状体又は網状体からなるガード構成部材により前記発熱体の前方を覆うように設置されたガード部（Ｇ）と、を備え、
前記ガード部は、当該ガード部における一部の領域を占めるとともに、前記発熱体から放射される熱の通過を遮断する前記ガード構成部材の遮断面積の密度が当該領域を囲む周囲近傍の領域における遮断面積の密度よりも小さくなるように形成された遮断抑制部（Ａ）を有し、
当該遮断抑制部は、前記ガード部における前記発熱体の前方に対向するように当該発熱体に沿って形成されていることを特徴とする電気ストーブ（１）。
【請求項２】
前記遮断抑制部（Ａ）は、前記ガード部（Ｇ）における前記発熱体（１１）に最も近接する位置に形成されていることを特徴とする請求項１に記載の電気ストーブ（１）。
【請求項３】
前記発熱体（１１）は一方向に延びる棒状部材として形成され、
前記遮断抑制部（Ａ）は、前記発熱体の長手方向と平行に延びる１つの空隙により形成されていることを特徴とする請求項１又は請求項２に記載の電気ストーブ（１）。
【請求項４】
前記発熱体（１１）は一方向に延びる棒状部材として形成され、
前記遮断抑制部（Ａ１）は、前記発熱体の長手方向と平行に延びる複数の空隙が当該方向に直列に並んで形成されていることを特徴とする請求項１又は請求項２に記載の電気ストーブ（１）。
【請求項５】
前記ガード構成部材は複数の線状体（１３）からなり、
前記遮断抑制部（Ａ）は、当該遮断抑制部の周囲に比べて前記線状体の配設密度を小さくすることにより形成されていること特徴とする請求項１〜４の少なくともいずれか１項に記載の電気ストーブ（１）。
【請求項６】
前記ガード構成部材は複数の線状体（１３）からなり、
前記遮断抑制部（Ａ４）は、当該遮断抑制部の周囲の前記線状体に比べて、前記発熱体（１１）から放射される熱を遮断する単位長さあたりの遮断面積が小さい前記線状体により形成されていることを特徴とする請求項１〜４の少なくともいずれか１項に記載の電気ストーブ（１）。
【請求項７】
前記遮断抑制部（Ａ４）は、前記発熱体から当該遮断抑制部に向かう方向と垂直な方向につぶされた断面扁平状の前記線状体（１３ｊ）により形成されていることを特徴とする請求項６に記載の電気ストーブ（１）。
【請求項８】
前記遮断抑制部（Ａ４）は、当該遮断抑制部の周囲の前記線状体に比べて細い前記線状体（１３ｋ）により形成されていることを特徴とする請求項６に記載の電気ストーブ（１）。
【請求項９】
前記ガード構成部材は、網状体（１５）により形成され、
前記遮断抑制部（Ａ７）は、当該遮断抑制部の周囲に比べて前記網状体の網目の目開きを大きくすることにより形成されていることを特徴とする請求項１〜４の少なくともいずれか１項に記載の電気ストーブ（１）。
【発明の詳細な説明】
【技術分野】
【０００１】
本発明は、発熱体の前方に、使用者の指等の侵入を防ぐためのガード部が配置された電気ストーブに関する。
【背景技術】
【０００２】
従来から、シーズヒータや石英管ヒータ等の発熱体を使用して周囲を暖める床置きタイプの電気ストーブが使用されている。このような電気ストーブとして、例えば、特許文献１に記載の電気ストーブが知られている。この電気ストーブは、特許文献１における図４及び図７に示されているように、ケーシング２３の前面を覆うように防護桟２４が設置されている。これにより、加熱対象が発熱体２１に過度に近づくことを防止し、例えば、電気ストーブの使用者がケーシング２３内に設置された発熱体２１に誤って触れてしまうことなどを防止している。
【０００３】
【特許文献１】特開２００６−３８２３８号公報
【発明の開示】
【発明が解決しようとする課題】
【０００４】
このように、防護桟２４は、使用者の指等の侵入を防ぐことができるように指等の幅よりも狭い間隔で形成されているだけでなく、外部からの衝撃により防護桟２４が容易に変形しないように所定の強度を有するように構成されている。しかしながら、防護桟２４は発熱体２１の前方に設置されているため、発熱体２１から前方に向かって放射される熱（輻射熱）の一部が防護桟２４により反射又は吸収されることになる。そして、発熱体２１の前方における全面に亘って略均等に防護桟２４を構成する部材が配置されているため、発熱体２１から外部に向けて放射される熱が防護桟２４の全面において一様に遮られ、所定量の熱が到達可能な距離が短くなってしまい、電気ストーブの前方に位置する加熱対象への加熱効率が低減される虞がある。
【０００５】
本発明は、上記実情に鑑みることにより、前方に位置する加熱対象に対して効率よく熱を伝達することが可能な電気ストーブを提供することを目的とする。
【課題を解決するための手段】
【０００６】
第１の発明に係る電気ストーブは、発熱体と、前記発熱体の後方に設置され当該発熱体から放射される熱を前方に反射する反射板と、線状体又は網状体からなるガード構成部材により前記発熱体の前方を覆うように設置されたガード部と、を備え、前記ガード部は、当該ガード部における一部の領域を占めるとともに前記発熱体から放射される熱の通過を遮断する前記ガード構成部材の遮断面積の密度が当該領域を囲む周囲近傍の領域における遮断面積の密度よりも小さくなるように形成された遮断抑制部を有し、当該遮断抑制部は、前記ガード部における前記発熱体の前方に対向するように当該発熱体に沿って形成されている。
【０００７】
この電気ストーブでは、ガード部における発熱体の前方に位置する部分に遮断抑制部が形成されているため、この遮断抑制部が形成されている範囲においては、発熱体から前方に放射される熱がガード構成部材により妨げられることを抑制することが可能となる。これより、発熱体の位置を起点として遮断抑制部を通過する方向において、より遠方に位置する加熱対象に対して所定量の熱を伝達することが可能となる。したがって、上述した構成のガード部を備えることにより、使用者の指等が発熱体に接触することを防止し、外部からの衝撃によりガード構成部材が容易に変形しないように所定の強度を保ったうえで、電気ストーブの前方に位置する加熱対象に対して効率よく熱を伝達することが可能となる。そして、より遠く離れた位置にある加熱対象まで所定量の熱を到達させることが可能となる。
【０００８】
第２の発明に係る電気ストーブは、第１の発明に係る電気ストーブにおいて、前記遮断抑制部は、前記ガード部における前記発熱体に最も近接する位置に形成されている。
【０００９】
この電気ストーブでは、遮断抑制部が発熱体に近接するため、発熱体の表面から周囲に向かって放射される熱のうち、遮断抑制部を通過して外部に放射される熱の割合が大きくなる。そして、遮断抑制部が形成されている範囲においては、発熱体から放射される熱がガード構成部材により妨げられることが抑制されるため、効率よく発熱体からの放射熱を外部に伝達することが可能となる。
【００１０】
第３の発明に係る電気ストーブは、第１又は第２の発明に係る電気ストーブにおいて、前記発熱体は一方向に延びる棒状部材として形成され、前記遮断抑制部は、前記発熱体の長手方向と平行に延びる１つの空隙により形成されている。
【００１１】
この電気ストーブでは、発熱体を簡易な形状とすることができる。遮断抑制部の形状も単純な形状となる。遮断抑制部が１つの空隙により形成されるため、当該遮断抑制部が形成される全ての範囲内において発熱体から放射される熱が遮られることがなく、より効率よく発熱体からの放射熱を外部に伝達することが可能となる。また、遮断抑制部は、発熱体と平行に延びているため、遮断抑制部を形成する範囲を、発熱体と垂直な方向において過度に大きくすることなく発熱体の正面におけるより広い範囲を占めるようにすることが可能である。これより、ガード部により指等の侵入を防止するガード機能を過剰に低下させることなく、発熱体から前方に向かって効率よく熱を放射することが可能となる。
【００１２】
第４の発明に係る電気ストーブは、第１又は第２の発明に係る電気ストーブにおいて、前記発熱体は一方向に延びる棒状部材として形成され、前記遮断抑制部は、前記発熱体の長手方向と平行に延びる複数の空隙が当該方向に直列に並んで形成されている。
【００１３】
この電気ストーブでは、遮断抑制部は、発熱体と平行に延びているため、遮断抑制部を形成する範囲を、発熱体と垂直な方向において過度に大きくすることなく発熱体の正面におけるより広い範囲を占めるようにすることが可能である。これより、ガード部により指等の侵入を防止するガード機能を低下させることなく、発熱体から前方に向かって効率よく熱を放射することが可能となる。そして、遮断抑制部が複数の空隙で形成されるため、隣接する空隙間に位置するガード構成部材によりガード機能を向上させることが可能となる。
【００１４】
第５の発明に係る電気ストーブは、第１〜第４の発明の少なくともいずれかに係る電気ストーブにおいて、前記ガード構成部材は複数の線状体からなり、前記遮断抑制部は、当該遮断抑制部の周囲に比べて前記線状体の配設密度を小さくすることにより形成されている。
【００１５】
この電気ストーブでは、遮断抑制部は、当該遮断抑制部の範囲を通過する線状体の本数をより少なくするように形成されており、他の部分に比べて線状体の配設密度が小さくなるように形成されている。ここで、線状体の配設密度とは、ガード部における、所定の単位領域内に配設される線状体の本数として算出されるものである。そのため、例えば、線状体を部分的に間引いたり、線状体が所定範囲を通過しないように曲げたりすることで、容易に遮断抑制部を形成可能である。これにより、使用する線状体に複雑な加工を施すことなくガード部を形成することが可能となる。
【００１６】
第６の発明に係る電気ストーブは、第１〜第４の発明の少なくともいずれかに係る電気ストーブにおいて、前記ガード構成部材は複数の線状体からなり、前記遮断抑制部は、当該遮断抑制部の周囲の前記線状体に比べて、前記発熱体から放射される熱を遮断する単位長さあたりの遮断面積が小さい前記線状体により形成されている。
【００１７】
この電気ストーブでは、線状体の一部を遮断面積が小さくなるように形成することにより、遮断抑制部が形成されている。この構成によれば、ガード部全体に一様に線状体を配設しても遮断抑制部を形成することができるため、発熱体から放射される熱が過度に遮断されることを抑制でき、かつ、指等の侵入を防ぐガード機能がより高いガード部を形成することが可能である。
【００１８】
第７の発明に係る電気ストーブは、第６の発明に係る電気ストーブにおいて、前記遮断抑制部は、前記発熱体から当該遮断抑制部に向かう方向と垂直な方向につぶされた断面扁平状の前記線状体により形成されている。
【００１９】
この電気ストーブでは、線状体を部分的につぶすことにより容易に遮断抑制部を形成することができるため、製造コストを削減できる。また、線状体が発熱体の前方を横切るように配置できるため、線状体の配置が複雑になることがなく、また、ガード部によるガード機能を高めるような線状体の配置が容易に可能となる。
【００２０】
第８の発明に係る電気ストーブは、第６の発明に係る電気ストーブにおいて、前記遮断抑制部は、当該遮断抑制部の周囲の前記線状体に比べて細い前記線状体により形成されている。
【００２１】
この電気ストーブでは、線状体を部分的に細く形成することで容易に遮断抑制部を形成することができるとともに、線状体が軸周りに回転しても遮断面積が変わりにくいため、簡易な製造工程でガード部を製造可能であり、また、使用時における外部からの衝撃等により変形しても熱の遮断面積に関して影響を受けることが少なく安定して発熱体からの熱の遮断を抑制する効果を発揮することが可能である。また、線状体が発熱体の前方を横切るように配置できるため、線状体の配置が複雑になることがなく、ガード部によるガード機能を高めるような線状体の配置が容易に可能となる。
【００２２】
第９の発明に係る電気ストーブは、第１〜第４の発明の少なくともいずれかに係る電気ストーブにおいて、前記ガード構成部材は、網状体により形成され、前記遮断抑制部は、当該遮断抑制部の周囲に比べて前記網状体の網目の目開きを大きくすることにより形成されている。
【００２３】
この電気ストーブでは、ガード部を少ない部品点数で一体的に形成することが容易に可能である。ガード部を一体的に形成することで、ガード部の取り付け、取り外しが容易に可能となるため有効である。
【発明の効果】
【００２４】
以上の説明に述べたように、本発明によれば、以下の効果が得られる。
第１〜第４の発明では、ガード部における発熱体の前方に位置する部分に遮断抑制部が形成されているため、発熱体から前方に放射される熱がガード構成部材により妨げられることを抑制することが可能となる。これより、発熱体の位置を起点として遮断抑制部を通過する方向において、効率よく熱を伝達することが可能となり、より離れた位置にある加熱対象に対して所定量の熱を伝達することできる。
【００２５】
第５の発明では、ガード構成部材として線状体を用い、当該線状体に複雑な加工を施すことなくガード部を形成することが可能となる。
【００２６】
第６〜第８の発明では、ガード構成部材として線状体を用い、当該線状体の一部を遮断面積が小さくなるように形成することにより、ガード部全体に一様に線状体を配設しても遮断抑制部を形成することができるため、発熱体から放射される熱が過度に遮断されることを抑制でき、かつ、指等の侵入を防ぐガード機能がより高いガード部を形成することが可能である。
【００２７】
第９の発明では、ガード構成部材として網状体を用い、ガード部を少ない部品点数で一体的に形成することが容易に可能である。
【発明を実施するための最良の形態】
【００２８】
以下、本発明を実施するための最良の形態について図面を参照しつつ説明する。
【００２９】
図１は、本発明の実施形態に係る電気ストーブ１の正面側から見た斜視図であり、図２は、後方側から見た斜視図である。また、図３は、電気ストーブ１の正面図である。図４は、図３におけるＸ−Ｘ断面図である。
図１〜図３に示すように、電気ストーブ１は、スタンド基台２と、支柱３と、ヒータ本体４とを備えている。
【００３０】
ヒータ本体４は、前面に略長方形上の開口を有するケーシング１０と、当該ケーシング１０内に設置された発熱体１１と、ケーシング１０内における発熱体１１の後方及び側方に設置され発熱体１１から放射される熱を前方に反射する反射板１２と、発熱体１１の前方に位置するケーシング１０の開口を複数の線材１３（ガード構成部材）により覆うように設置されたガード部Ｇとを備えている。尚、ヒータ本体４は、床面に設置されるスタンド基台２から立設した支柱３に対して、当該支柱３を中心として所定の角度の範囲内で回動自在となるように、また、当該支柱３に対して所定の角度の範囲内で傾斜させることができるように取付けられている。更に、ヒータ本体４は、縦向きから横向きに変更することができるように支柱３に対して取付けられている（図３において二点鎖線で横向きの状態を示す）。
【００３１】
発熱体１１は、棒状に形成されたシーズヒータからなり、ケーシング１０内においてケーシング１０の長手方向と平行に延びるように所定の間隔を空けて２本並んで配置されている。尚、発熱体がシーズヒータで構成されている場合に限らず、石英管ヒータ、セラミックヒータ等でもよい。
【００３２】
図４に示すように、反射板１２は、発熱体１１から放射される熱を前方の略一方向（図中、矢印で示す方向）に向かって反射できるように、例えば、発熱体１１を焦点とした断面放物線形状となるように湾曲して形成されている。
【００３３】
ガード部Ｇは、ガード構成部材として鋼等の金属で形成された複数の線材１３（線状体）を用いており、当該複数の線材１３を部分的に結合して形成されている。そして、ガード部Ｇは、線材１３同士が互いに結合され全体として一体となるように構成され、ケーシング１０から取り外し可能に設置されている。尚、熱の吸収を抑制するため表面に反射率を向上させる鍍金等を施したガード構成部材を使用してもよい。
【００３４】
図３に示すように、ガード部Ｇにおける大部分は、ケーシング１０の開口の短手方向（以下、この方向を左右方向と称す）と平行に配設される線材１３ａによって構成される。また、ケーシング１０の開口における左右方向の端部において当該開口の長手方向（以下、この方向を上下方向と称す）に上端から下端まで延びるように設置された線材１３ｂを備え、左右方向に延びる線材１３ａの一部が固定されている。ガード部Ｇにおける発熱体１１に対向する正面の位置には、上下方向に延びる略長方形状の枠を形成する線材１３ｃが設置されている。左右方向に延びる線材１３ａは、この略長方形状の枠を形成する線材１３ｃと交差する位置に一端が結合されており、当該長方形状の枠内の領域Ａ（遮断抑制部、以下遮断抑制部Ａと称する）に線材１３ａが配置されないようにガード部Ｇが構成されている。そのため、遮断抑制部Ａには、発熱体１１から放射される熱の通過を遮断するものは存在しない。
【００３５】
図５に、図３における遮断抑制部Ａ近傍を拡大して示すように、遮断抑制部Ａは、当該遮断抑制部Ａの周囲を囲む周囲近傍の領域Ｂ（図中、斜線で示す領域）における遮断面積の密度よりも小さくなるように形成されている。遮断面積の密度とは、所定領域における線材１３等のガード構成部材により発熱体からの熱が遮断される面積の割合をいう。即ち、図５において、遮断抑制部Ａの占める面積に対する当該遮断抑制部Ａ内に位置する部分の線材１３が占める面積の割合（本実施形態においては遮断抑制部Ａに線材１３が存在しないので０となる）が、領域Ｂの占める面積に対する当該領域Ｂ内に位置する部分の線材１３が占める面積の割合よりも小さくなるように形成されている。このように遮断抑制部Ａを形成することにより、遮断抑制部Ａ内においては、その周囲の領域に比べ、発熱体１１から放射される熱が通過しやすい構成となる。
【００３６】
また、図４に示すように、遮断抑制部Ａは、ガード部Ｇにおける発熱体１１に最も近接する位置に形成されているとともに、反射板１２により発熱体１１から放射される熱が反射される方向（反射方向）に向かって当該発熱体１１が平行投影される位置に形成されている。
【００３７】
また、遮断抑制部Ａは、発熱体１１をガード部Ｇに向かって、反射板１２により発熱体１１から放射される熱が反射される方向に向かって平行投影したときの、平行投影像の長手方向中央部を含むように、ガード部Ｇにおける上下方向の略中央部に形成されている。
【００３８】
尚、隣接する線材１３ａの間隔（図３においてｔ１で示す）、及び、線材１３ｃの短手方向の開口幅（図３においてｔ２で示す）は、少なくとも１２ｍｍ以下となるように構成されている。これにより、ガード部Ｇの隙間を通って指などが発熱体１１に接触することを確実に防止することが可能となる。
【００３９】
このように、電気ストーブ１は、ガード部Ｇにおける一部の領域Ａ（図５参照）を占めるとともに発熱体１１から放射される熱の通過を遮断する線材１３の遮断面積の密度が当該領域を囲む周囲近傍の領域Ｂ（図５参照）における遮断面積の密度よりも小さくなるように形成された遮断抑制部Ａを有している。そして、当該遮断抑制部Ａは、前記ガード部Ｇにおける発熱体１１の前方に対向するように発熱体１１に沿って形成されている。
【００４０】
この電気ストーブ１では、ガード部Ｇにおける発熱体１１の前方に位置する部分に遮断抑制部Ａが形成されているため、この遮断抑制部Ａが形成されている範囲においては、発熱体１１から前方に放射される熱が線材１３により妨げられることを抑制することが可能となる。これより、発熱体１１の位置を起点として遮断抑制部Ａを通過する方向において、効率よく熱を伝達することが可能となる。
【００４１】
したがって、線材１３を指等が侵入できない間隔で配置して使用者の指等が発熱体に接触することを防止したうえで、遮断抑制部Ａ以外の位置においてガード部Ｇの強度を確保するように線材１３を配置して、外部からの衝撃により線材１３が容易に変形しないように所定の強度を保ちながら、電気ストーブ１の前方に位置する加熱対象に対して効率よく熱を伝達することが可能となり、また、より遠く離れた位置にある加熱対象まで所定量の熱を到達させることが可能となる。尚、発熱体の前方に対向する部分の位置が、発熱体に最も近接する位置にはならないような形状のガード部であっても、当該発熱体の前方に対向する位置に発熱体に沿った形状の遮断抑制部を有するものであれば、上述したように、前方に向かって効率のよい熱伝達が可能であり、より遠方まで所定量の熱を到達させる効果を発揮することが可能である。
【００４２】
本実施形態においては、遮断抑制部Ａが、ガード部Ｇにおける発熱体１１に最も近接する位置に形成されているため、発熱体１１から周囲に向かって放射される熱のうち、遮断抑制部Ａを通過して外部に放射される熱の割合が大きくなる。遮断抑制部Ａが形成されている範囲においては、発熱体１１から放射される熱が線材１３により妨げられることが抑制されるため、更に効率よく発熱体１１からの放射熱を外部に伝達することが可能となる。
【００４３】
また、発熱体１１は一方向に延びる棒状部材として形成され、遮断抑制部Ａは、発熱体１１の長手方向と平行に延びる１つの空隙により形成されている。この場合、発熱体１１が簡易かつ汎用的な形状であるため低コストで製造可能である。同様に、遮断抑制部Ａの形状も当該発熱体１１の形状に合わせて単純な形状とすることができ、容易に形成可能となる。
【００４４】
そして、遮断抑制部Ａが１つの空隙により形成されるため、遮断抑制部Ａが形成される全ての範囲内において発熱体１１から放射される熱が遮られることがなく、より効率よく発熱体１１からの放射熱を外部に伝達することが可能となる。特に、発熱体１１において温度がより高い部分である、長手方向中央部分に対向する位置が開口するように形成されているため、更に効率よく熱を外部に放出することが可能である。
【００４５】
また、遮断抑制部Ａは、発熱体１１と平行に延びているため、遮断抑制部Ａを形成する範囲を左右方向において過度に大きくすることなく発熱体１１の正面におけるより広い範囲を占めるようにすることが可能である。これより、ガード部Ｇにより指等の侵入を防止するガード機能を過剰に低下させることなく、発熱体１１から前方に向かって効率よく熱を放射することが可能となる。
【００４６】
尚、遮断抑制部Ａは、熱放射効率向上の観点から、発熱体１１の長さの１／３以上の長さで上下方向に延びる空隙として形成することが望ましく、また、ガード機能の低下抑制の観点から、発熱体１１の長さの２／３以下の長さとして形成することが望ましい。
【００４７】
また、ガード構成部材は複数の線材１３からなり、遮断抑制部Ａは、通過する線材１３の本数をより少なくするように形成されている。即ち、遮断抑制部Ａは、周囲に比べて線材１３の配設密度を小さくすることにより発熱体１１からの熱の遮断を抑制するように構成されている。そのため、使用する線材に複雑な加工を施すことなく、発熱体１１の前方に対向する位置を、左右に延びる線材１３ａが通過しないように、線材１３ａの長さを調整することで容易に遮断抑制部Ａを備えるガード部Ｇを形成することが可能となる。
【００４８】
次に、本実施形態に係る電気ストーブの変形例について説明する。
以下に説明する第１〜第７の変形例は、図１〜図４に示す実施形態に係る電気ストーブ１におけるガード部Ｇの形状のみを変更したものであり、その他の部分は電気ストーブ１と同形状である。図６〜図９、図１２、図１４、図１５は、それぞれ変形例におけるヒータ本体の正面図を示す。図１〜図４に示す実施形態と同一部材には、同一符号を付し説明を省略する。
【００４９】
（第１変形例）
第１変形例に係る電気ストーブのガード部について図６を用いて説明する。
図６に示すように、第１変形例に係るガード部Ｇ１は、一方向に長く延びた略長方形状の枠を形成する線材１３ｃを、当該長方形状の枠内の開口領域を上下に分割するように、当該長方形状の枠の短手方向に延びる線材１３ｄが結合されている。この線材１３ｄにより、線材１３ｃに囲まれた開口領域が、当該開口領域の短手方向において広がることを防止でき、指等の侵入をより確実に防ぐことが可能となる。
【００５０】
ここで、ガード部Ｇ１における線材１３ｃに囲まれた領域Ａ１（遮断抑制部Ａ１）に左右に延びる線材１３ｄが配置されているため、当該線材１３ｃに囲まれた領域Ａ１における遮断面積の密度は、線材１３ｄの遮断面積分だけ図３に示す実施形態よりも増加するが、当該領域Ａ１の周囲の領域における遮断面積の密度に比べて小さくなっている。そのため、この線材１３ｃに囲まれた領域Ａ１においては周囲の領域に比べて熱の通過を妨げることを抑制可能である。尚、遮断抑制部Ａ１における遮断面積の密度は、その周囲の領域における遮断面積の密度の１／２以下とすることが望ましい。
【００５１】
このように、発熱体１１の長手方向と平行に延びる空隙を当該長手方向に２つ直列に並べて配置させることによって、発熱体１１に沿った一定の領域を占める遮断抑制部Ａ１を形成してもよい。この場合、１つの空隙の長さを短くしつつ、発熱体１１に沿ったより広い範囲を占めるように遮断抑制部Ａ１を形成することができ、遮断抑制部Ａ１における隣接する空隙間に位置するガード構成部材（線材１３ｄ）によりガード機能を向上させることが可能となる。
【００５２】
（第２変形例）
第２変形例に係る電気ストーブのガード部について図７を用いて説明する。
図７に示すように、第２変形例に係るガード部Ｇ２は、上端及び下端近傍において左右方向に延びる線材１３ｅを除き、線材が発熱体１１の前方を横切らないように配置されている。尚、上端及び下端近傍の線材１３ｅは、ガード部Ｇ２を形成する線材を一体的に結合することを可能とし、これにより、ガード部Ｇ２をケーシング１０から取り外し易く形成することができる。
【００５３】
ケーシング１０の左右方向における端部近傍には、Ｕ字状に屈曲して形成された線材１３ｆが配置され、Ｕ字開口端部において、ケーシング１０の左右方向の端部に位置して上下方向に延びる線材１３ｂに固定されている。また、左右方向中央部に位置して左右に延びる長方形状の枠を形成する線材１３ｇは、上下方向において隣接する他の線材と、上下方向に延びる２本の線材１３ｈを介して結合されている。尚、図７に示す線材の隙間ｔ３が、少なくとも１２ｍｍ以下になるように線材１３ｆ、１３ｇが配置されている。
【００５４】
このように、曲げ加工等により形成可能な線材１３ｆ等を用いて発熱体１１の前方を遮断しない領域Ａ２（遮断抑制部）を備えるガード部Ｇ２を形成することも可能である。この場合、上下方向に長く連続して延びる線材を用いていないため、ガード構成部材により熱が遮断される面積をより小さくすることが可能である。
【００５５】
（第３変形例）
第３変形例に係る電気ストーブのガード部について図８を用いて説明する。
図８に示すように、第３変形例に係るガード部Ｇ３は、第２変形例で示したガード部Ｇ２において、左右方向の端部近傍に配置された線材１３ｆと、中央に配置された線材１３ｇとを左右方向に延びる一本の線材１３ｉを介して結合したものである。
【００５６】
これにより、左右端部に位置する線材１３ｆと、中央部の線材１３ｇとの間隔が広がることを防止でき、ガード部Ｇ３の強度を増加させることが可能である。また、ケーシング１０の開口の左端から右端まで連続して延びる線材１３ｅを上下方向に所定の間隔（図８で配置されている間隔）で一様に並べて配置する場合に比べ、発熱体１１の前方を横切るように配置される線材の本数を減少させることができる。そのため、線材ｉの配置される領域Ａ３（遮断抑制部）において、発熱体１１から前方に放射される熱が遮断される量を減少させることが可能である。
【００５７】
（第４変形例）
第４変形例に係る電気ストーブのガード部について図９を用いて説明する。
図９に示すように、第４変形例に係るガード部Ｇ４は、ケーシング１０の開口の左端から右端まで連続して延びる線材１３ｊを複数備えている。当該線材１３ｊは、上下方向において一定の間隔を空けて配置されている。線材１３ｊは、発熱体１１の前方位置近傍部を横切る部分において、その前後に連続する部分に比べて、発熱体１１から放射される熱を遮断する単位長さあたりの遮断面積が小さくなるように形成されている。即ち、線材１３ｊにおける発熱体１１の前方位置近傍部を横切る部分を、反射板１２により発熱体１１から放射される熱が反射される方向（図４参照）と直交する仮想平面に平行投影させたときの投影像の面積が小さくなるように線材１３ｊを部分的に変形してガード部Ｇ４が形成されている。
【００５８】
具体的には、図１０に示すように、線材１３ｊを部分的に断面扁平形状になるようにつぶして形成することができる。図１０（ａ）は、図９の正面図における点線Ｃで示す部分の線材１３ｊを拡大して示した図である。図１０（ｂ）は、図１０（ａ）に示す線材１３ｊの平面図であり、図１０（ｃ）は、図（ａ）に示す線材の斜視図である。
【００５９】
図９及び図１０に示すように、線材１３ｊは、当該扁平形状部分から、発熱体１１の最も近接する部分に向かう方向と、つぶされて形成された面Ｓ（図１０（ｃ）参照）と、が略平行になるように、ケーシング１０に設置される。即ち、当該扁平形状部分から、発熱体１１の最も近接する部分に向かう方向と垂直な方向につぶされた断面扁平状の線材１３ｊにより、ガード部Ｇ４における発熱体１１の前方位置を横切る部分が形成されている。この場合、線材１３ｊを部分的につぶすことにより発熱体１１から前方に放射される熱が通過しやすい領域Ａ４（遮断抑制部）を容易に形成することができるため、製造コストを削減できる。また、線材１３ｊが発熱体１１の前方を横切るように配置することができるため、ガード部Ｇ４の略全域を占めている線材１３ｊを全て両持支持しながらケーシング１０に対して固定することが可能となり、簡易な構成でガード部Ｇ４によるガード機能をより高くすることができる。
【００６０】
また、ガード部における発熱体を横切る部分は、例えば、図１１に示すように、部分的に細く形成した線材１３ｋによって形成することもできる。この場合、線材１３ｋが中心軸Ｙに対して対称形状であり、当該中心軸Ｙの周りに回転することによって遮断面積が変化することはない。したがって、製造の際に、線材１３ｋの設置角度（中心軸Ｙの周りの回転角度）を考慮する必要が無く、簡易な製造工程とすることができる。また、使用時における外部からの衝撃等により、線材１３ｋの設置角度が変化した場合であっても遮断面積に関して影響を受けることが少なく安定して発熱体からの熱の遮断を抑制する効果を発揮することが可能である。
【００６１】
（第５変形例）
第５変形例に係る電気ストーブのガード部について図１２を用いて説明する。
図１３（ａ）は、図１２において点線Ｄで示す部分の２本の線材１３ｎ、１３ｐの拡大図である。図１３（ｂ）は、図１３（ａ）に示す線材１３ｎ、１３ｐを上方（発熱体の長手方向と平行な方向）から見た図である。
図１２及び図１３に示すように、第５変形例に係るガード部Ｇ５は、ケーシング１０の開口の左端から右端まで連続して延びる２種類の線材１３ｎ、１３ｐを複数備えて構成されている。そして、図１３に示すように、一の線材１３ｎは、当該線材１３ｎの下方に隣接配置される他の線材１３ｐの背面側（発熱体１１に近づく側）に回り込むように曲がって形成されており、発熱体１１から前方に向かって当該線材１３ｎと線材１３ｐとを見たときに、線材１３ｎにおいて曲げられて形成された部分αが、線材１３ｐに重なるように形成されている。これにより、ガード部Ｇ５において、発熱体１１から前方に向かって放射される熱を遮断する遮断面積が周囲に比べて小さい領域Ａ５（遮断抑制部）を形成することができる。
【００６２】
このように、左右の端部から端部に連続する線材１３ｎ、１３ｐを使用して、一の線材１３ｎの曲げ加工のみで、発熱体１１から前方に向かって放射される熱を遮断する遮断面積を小さくすることができる。この場合、線材同士の結合部を少なくすることができるとともに、線材の加工が容易であるため、ガード部Ｇ５の製造がより容易に可能となる。
【００６３】
（第６変形例）
第６変形例に係る電気ストーブのガード部について図１４を用いて説明する。
図１４に示すように、第６変形例に係るガード部Ｇ６は、ケーシング１０の開口全体を覆うメタルラス等の金属網１４（網状体）により構成されている。尚、ワイヤーラス等を用いて同様に形成してもよい。金属網１４には、発熱体１１の長手方向と平行に延びる長穴状に形成された開口部１４ａ（遮断抑制部）を備えている。当該開口部１４ａは、発熱体１１における長手方向中央部の前方に対面する位置に形成されている。尚、図１４に示すガード部Ｇ６においては、開口部１４ａの近傍におけるガード部の強度を確保するため、開口部１４ａの輪郭を形成する部材１４ｂを備えているが、当該部材１４ｂを用いずに、金属網１４の一部を切断して開口部１４ａを形成してもよい。
【００６４】
このように、金属網１４の一部に開口部１４ａを形成することによって、発熱体１１から前方に向かって放射される熱が通過しやすい領域を形成することが可能である。この場合、ガード部Ｇ６を一枚の金属網で一体的に形成することができるため、ガード部Ｇ６を製造する際の部品点数を減らすことができ、容易に製造可能となる。
【００６５】
（第７変形例）
第７変形例に係る電気ストーブのガード部について図１５を用いて説明する。
図１５に示すように、第７変形例に係るガード部Ｇ７は、ケーシング１０の開口全体を覆うメタルラス等の金属網１５（網状体）により構成されている。尚、ワイヤーラス等を用いて同様に形成してもよい。金属網１５は、網目の目開きの大きさが異なる二種類の網部１５ａ及び網部１５ｂを備えて形成されている。そして、発熱体１１の前方に対向する位置において、目開きの大きい網部１５ａが配置され、当該網部１５ａの左右に隣接して網部１５ａに比べて目開きの小さい網部１５ｂが配置されている。これにより、ガード部Ｇ７における網部１５ａが配置された領域Ａ７（遮断抑制部）において、発熱体１１の熱を通過しやすくすることができる。
【００６６】
このようにガード部Ｇ７を構成して、所定の部分領域に発熱体１１から放射される熱を遮断しにくい領域Ａ７を形成することにより、発熱体１１の前方へ放射される熱がガード部Ｇ７を通過しやすくなり、前方に位置する加熱対象に対して効率よく熱を伝達することが可能となり、より遠方まで所定量の熱を通過させることが可能となる。また、金属網１５を用いることにより少ない部品点数でガード部Ｇ７を形成可能となる。
【００６７】
以上、本発明の実施形態及びその変形例について説明したが、本発明は上述の実施の形態に限られるものではなく、特許請求の範囲に記載した限りにおいてさらに様々に変更して実施することができるものである。
【００６８】
（１）本実施形態においては、発熱体の本数が２本の場合について説明したが、発熱体が１本の場合であっても同様にガード部を構成して実施可能である。例えば、図１６に示すように、図３で示した実施形態と同様にして線材１３ａと線材１３ｂによりガード部Ｇ８に遮断抑制部Ａ８を形成することができる。また、発熱体を３本以上設置して電気ストーブを構成することも可能である。
【００６９】
（２）発熱体が棒状に形成されている場合に限らず、例えば、図１７に示すように、発熱体２１がＵ字形状に形成されている場合においても、当該発熱体２１の形状に沿った遮断抑制部Ａ９を有するようにガード部Ｇ９を形成することで、発熱体２１の前方へ放射される熱がガード部Ｇ９を通過しやすくなり、前方に位置する加熱対象に対して効率よく熱を伝達することが可能となり、より遠方まで所定量の熱を通過させることが可能となる。
【図面の簡単な説明】
【００７０】
【図１】本発明の実施形態に係る電気ストーブの正面側から見た斜視図である。
【図２】図１に示す電気ストーブの後方側から見た斜視図である。
【図３】図１に示す電気ストーブの正面図である。
【図４】図３におけるＸ−Ｘ断面矢視図である。
【図５】図３におけるガード部の部分拡大図である。
【図６】実施形態に係る電気ストーブの第１変形例を示す正面図である。
【図７】実施形態に係る電気ストーブの第２変形例を示す正面図である。
【図８】実施形態に係る電気ストーブの第３変形例を示す正面図である。
【図９】実施形態に係る電気ストーブの第４変形例を示す正面図である。
【図１０】図９におけるガード構成部材の部分拡大図である。
【図１１】図１０におけるガード構成部材の変形例を示す図である。
【図１２】実施形態に係る電気ストーブの第５変形例を示す正面図である。
【図１３】図１２におけるガード構成部材の部分拡大図である。
【図１４】実施形態に係る電気ストーブの第６変形例を示す正面図である。
【図１５】実施形態に係る電気ストーブの第７変形例を示す正面図である。
【図１６】実施形態に係る電気ストーブの他の変形例を示す正面図である。
【図１７】実施形態に係る電気ストーブの他の変形例を示す正面図である。
【符号の説明】
【００７１】
１    電気ストーブ
２    スタンド基台
３    支柱
４    ヒータ本体
１０  ケーシング
１１、２１  発熱体
１２  反射板
１３  線材（線状体）
１４、１５  金属網（網状体）
Ｇ  ガード部
Ａ  遮断抑制部
【図１】
2008111565.tif 000003
【図２】
2008111565.tif 000004
【図３】
2008111565.tif 000005
【図４】
2008111565.tif 000006
【図５】
2008111565.tif 000007
【図６】
2008111565.tif 000008
【図７】
2008111565.tif 000009
【図８】
2008111565.tif 000010
【図９】
2008111565.tif 000011
【図１０】
2008111565.tif 000012
【図１１】
2008111565.tif 000013
【図１２】
2008111565.tif 000014
【図１３】
2008111565.tif 000015
【図１４】
2008111565.tif 000016
【図１５】
2008111565.tif 000017
【図１６】
2008111565.tif 000018
【図１７】
2008111565.tif 000019